(57)【要約】【課題】異なるサイズの原稿の搬送を許容する原稿混載モードでない場合に、原稿幅の異なる原稿を搬送したときでも、原稿の搬送を途中で中止して最初から原稿の搬送をやり直す必要がないようにする。【解決手段】第１原稿幅検知センサが、奥側ガイド６１の位置により原稿トレイ１１に載置された原稿束の最大原稿幅を検知する。第２原稿幅検知センサ６６が、一枚ずつ分離搬送された原稿の原稿幅を検知する。制御部９０は、第１原稿幅検知センサの検知信号と第２原稿幅検知センサ６６の検知信号が相違する場合に、搬送部による原稿の搬送を再開可能に中断する。操作者が混載原稿モードを選択すると、搬送が中断された原稿は搬送が再開され、原稿の画像の読み取りが開始される。操作者が通常モードを選択すると、搬送が中断された原稿は搬送部によって排出トレイに排出される。これにより、上記課題が解決される。【選択図】図２
2010183581.tif 000002
【特許請求の範囲】
【請求項１】
異なるサイズの原稿を載置可能な原稿載置台と、
前記原稿載置台に載置された原稿束を一枚ずつ分離して排出部へ搬送する搬送部と、
前記原稿載置台に載置された原稿束の最大原稿幅を検知する第１原稿幅検知手段と、
前記搬送部により前記原稿載置台から一枚ずつ分離された原稿の原稿幅を検知する第２原稿幅検知手段と、
異なるサイズの原稿の搬送を許容する混載原稿モードではない場合に、前記第１原稿幅検知手段が検知した最大原稿幅と前記第２原稿幅検知手段が検知した原稿幅とが相違したときに、前記搬送部に前記原稿の搬送を再開可能に中断させる制御部と、
を備えたことを特徴とする原稿送り装置。
【請求項２】
前記原稿載置台に載置された原稿束の最大原稿長を検知する第１原稿長検知手段と、
前記搬送部により前記原稿載置台から一枚ずつ分離された原稿の原稿長を検知する第２原稿長検知手段と、
異なるサイズの原稿の搬送を許容する混載原稿モードではない場合に、前記第１原稿長検知手段が検知した最大原稿長と前記第２原稿長検知手段が検知した原稿長とが相違したときに、前記搬送部に前記原稿の搬送を再開可能に中断させる前記制御部と、
を備えたことを特徴とする請求項１に記載の原稿送り装置。
【請求項３】
前記搬送部に搬送される原稿の画像を読み取る読取部と、
搬送が中断された前記原稿の画像の前記読取部による読み取りが可能な読取可能状態であるか、搬送が中断された前記原稿の画像の前記読取部による読み取りが不可能である読取不可能状態であるか、を判定する前記制御部と、
を備え、
前記制御部は、搬送が中断された原稿が、前記読取部の読取位置よりも手前である待機位置で停止していることが検知された場合に、前記読取可能状態と判定することを特徴とする請求項１又は請求項２に記載の原稿送り装置。
【請求項４】
前記搬送部に搬送される原稿の画像を読み取る読取部と、
搬送が中断された前記原稿の画像の前記読取部による読み取りが可能な読取可能状態であるか、搬送が中断された前記原稿の画像の前記読取部による読み取りが不可能である読取不可能状態であるか、を判定する前記制御部と、
を備え、
前記制御部は、搬送が中断された原稿が、前記読取部の読取位置よりも手前である待機位置よりも下流で停止していることが検知された場合であっても、その原稿が読み取り位置よりも上流側に戻された場合には、前記読取可能状態と判定することを特徴とする請求項１又は請求項２に記載の原稿送り装置。
【発明の詳細な説明】
【技術分野】
【０００１】
本発明は、原稿送り装置に関する。
【背景技術】
【０００２】
原稿送り装置としては、異なるサイズの原稿の搬送を許容する原稿混載モードを有する原稿送り装置が知られている。原稿混載モードを有する原稿送り装置としては、特許文献１及び特許文献２に開示される技術が公知である。
【０００３】
特許文献１には、原稿トレイの原稿を原稿載置台上の読取位置に給送する原稿給送装置において、原稿トレイにセットされる原稿束の最大幅と、原稿トレイから給送される原稿の幅とを検知する原稿サイズ検知手段を有している原稿給送装置が開示されている。
【０００４】
特許文献１には、上記の原稿給送装置によれば、原稿給紙前の原稿サイズ検知と原稿の分離給送後の原稿サイズ検知を１組の原稿サイズ検知手段により行うことで、原稿サイズが混載した原稿であってもコピー時間を短くしてコピー生産性を高められることが開示されている。
【０００５】
また、特許文献２には、原稿読み取り位置に向けて供給されるサイズの異なる原稿を同時に載置することのできる原稿トレイと、この原稿トレイに載置されるサイズの異なる原稿の中から最大主走査方向サイズの一方の原稿サイドに合わせて変位されて位置決めされる奥側ガイドと、この奥側ガイドと略同一の変位量によって変位すると共に、最大主走査方向サイズの他方の原稿サイドに合わせて位置決めされる手前側ガイドと、位置決めされた奥側ガイドの位置を基準として同時に載置された最大主走査方向サイズ以外の主走査方向サイズを有する原稿を検知する検知センサとを有する原稿送り装置が開示されている。
【０００６】
特許文献２には、上記の原稿送り装置によれば、原稿送り装置に載置された原稿群から供給される、異なったサイズを有する原稿の原稿サイズが適切に検知されることが開示されている。
【先行技術文献】
【特許文献】
【０００７】
【特許文献１】特開２００１−３５０２２５号公報
【特許文献２】特開２００４−０４８２８２号公報
【発明の概要】
【発明が解決しようとする課題】
【０００８】
本発明は、異なるサイズの原稿の搬送を許容する原稿混載モードでない場合に、原稿幅の異なる原稿を搬送したときでも、原稿の搬送を途中で中止して最初から原稿の搬送をやり直す必要がない原稿送り装置及び画像形成装置を提供することを目的とする。
【課題を解決するための手段】
【０００９】
本発明の請求項１に係る原稿送り装置は、異なるサイズの原稿を載置可能な原稿載置台と、前記原稿載置台に載置された原稿束を一枚ずつ分離して排出部へ搬送する搬送部と、前記原稿載置台に載置された原稿束の最大原稿幅を検知する第１原稿幅検知手段と、前記搬送部により前記原稿載置台から一枚ずつ分離された原稿の原稿幅を検知する第２原稿幅検知手段と、異なるサイズの原稿の搬送を許容する混載原稿モードではない場合に、前記第１原稿幅検知手段が検知した最大原稿幅と前記第２原稿幅検知手段が検知した原稿幅とが相違したときに、前記搬送部に前記原稿の搬送を再開可能に中断させる制御部と、を備えたことを特徴とする。
【００１０】
本発明の請求項２に係る原稿送り装置は、請求項１の構成において、前記原稿載置台に載置された原稿束の最大原稿長を検知する第１原稿長検知手段と、前記搬送部により前記原稿載置台から一枚ずつ分離された原稿の原稿長を検知する第２原稿長検知手段と、異なるサイズの原稿の搬送を許容する混載原稿モードではない場合に、前記第１原稿長検知手段が検知した最大原稿長と前記第２原稿長検知手段が検知した原稿長とが相違したときに、前記搬送部に前記原稿の搬送を再開可能に中断させる前記制御部と、を備えたことを特徴とする。
【００１１】
本発明の請求項３に係る原稿送り装置は、請求項１又は請求項２の構成において、前記搬送部に搬送される原稿の画像を読み取る読取部と、搬送が中断された前記原稿の画像の前記読取部による読み取りが可能な読取可能状態であるか、搬送が中断された前記原稿の画像の前記読取部による読み取りが不可能である読取不可能状態であるか、を判定する前記制御部と、を備え、前記制御部は、搬送が中断された原稿が、前記読取部の読取位置よりも手前である待機位置で停止していることが検知された場合に、前記読取可能状態と判定することを特徴とする。
【００１２】
本発明の請求項４に係る原稿送り装置は、前記搬送部に搬送される原稿の画像を読み取る読取部と、搬送が中断された前記原稿の画像の前記読取部による読み取りが可能な読取可能状態であるか、搬送が中断された前記原稿の画像の前記読取部による読み取りが不可能である読取不可能状態であるか、を判定する前記制御部と、を備え、前記制御部は、搬送が中断された原稿が、前記読取部の読取位置よりも手前である待機位置よりも下流で停止していることが検知された場合であっても、その原稿が読み取り位置よりも上流側に戻された場合には、前記読取可能状態と判定することを特徴とする。
【発明の効果】
【００１３】
本発明の請求項１の構成によれば、異なるサイズの原稿の搬送を許容する原稿混載モードでない場合に、原稿幅の異なる原稿を搬送したときでも、原稿の搬送を途中で中止して最初から原稿の搬送をやり直す必要がない。
【００１４】
本発明の請求項２の構成によれば、異なるサイズの原稿の搬送を許容する原稿混載モードでない場合に、原稿長の異なる原稿を搬送したときでも、原稿の搬送を途中で中止して最初から原稿の搬送をやり直す必要がない。
【００１５】
本発明の請求項３及び請求項４の構成によれば、搬送を中断した原稿が読取可能状態及び読取不可能状態のどちらの状態にあるかが把握でき、この状態に基づき、原稿の搬送を再開して画像を読み取ることもできるので、最初から原稿の搬送及び原稿の読み取りをやり直す必要がなくなる。
【図面の簡単な説明】
【００１６】
【図１】図１は、本発明の実施形態に係る画像形成装置の全体構成を示す概略図である。
【図２】図２は、本実施形態に係る原稿トレイ及び第２原稿幅検知センサの構成を示す概略図である。
【図３】図３は、本実施形態に係る奥側ガイド及び手前側ガイドの構成及び第１原稿幅検知センサの構成を示す概略図である。
【図４】図４は、本実施形態に係る画像読取装置の構成及び第１原稿長検知センサ及び第２原稿長検知センサの構成を示す概略図である。
【図５】図５は、本実施形態に係る画像読取装置の外観を示す斜視図である。
【図６】図６は、本実施形態に係る原稿トレイに載置された原稿と分離搬送された原稿との原稿幅が一致する場合を説明するための概略図である。
【発明を実施するための形態】
【００１７】
以下に、本発明に係る実施形態の一例を図面に基づき説明する。
【００１８】
（本実施形態に係る画像形成装置の構成）
まず、本実施形態に係る画像形成装置の構成を説明する。図１は、本実施形態に係る画像形成装置の構成を示す概略図である。
【００１９】
本実施形態に係る画像形成装置１００は、用紙等の記録媒体Ｐに画像を記録する画像記録装置１１０と、原稿を搬送する原稿送り装置の一例として、原稿を搬送すると共にその原稿の画像を読み取る画像読取装置１０とを備えている。
【００２０】
画像読取装置１０は、画像形成装置１００の上部に配置され、画像記録装置１１０は、画像形成装置１００の下部に配置されている。
【００２１】
画像読取装置１０は、原稿の画像を読み取り、その読み取った画像を画像信号に変換するようになっている。画像記録装置１１０は、画像読取装置１０が変換した画像信号に基づいて記録媒体Ｐへ画像を記録するようになっている。
【００２２】
ここで、本実施形態に係る画像記録装置１１０の構成について説明する。
【００２３】
本実施形態に係る画像記録装置１１０は、図１に示すように、その下部に、記録媒体Ｐが収容された複数の記録媒体収容部１２０、１２１を備えている。
【００２４】
記録媒体収容部１２０、１２１には、それぞれ、サイズの異なる記録媒体Ｐが収容されている。例えば、記録媒体収容部１２０には、Ｂ５サイズの記録媒体Ｐが収容され、記録媒体収容部１２１には、Ｂ４サイズの記録媒体Ｐが収容される。
【００２５】
記録媒体収容部１２０、１２１の先端側（図１において右端側）の直上には、記録媒体Ｐの上面の先端側に接触して回転し、記録媒体収容部１２０、１２１から記録媒体Ｐを送り出す送出しロール１２６が配置されている。
【００２６】
画像記録装置１１０内には、記録媒体収容部１２０、１２１の先端部から延出して、Ｓ字状に湾曲し、画像記録装置１１０の上部へ向かって延びる搬送路１２２が形成されている。
【００２７】
この搬送路１２２に沿って、記録媒体の搬送方向の上流側から順に、記録媒体Ｐを挟持搬送する複数（例えば、６つ）の搬送ロール対１６４と、レジストロール１６８とが配置されている。
【００２８】
記録媒体収容部１２１の上方には、記録媒体Ｐへ画像を記録する画像記録部１３０が配置されている。
【００２９】
記録媒体収容部１２０、１２１に収容された記録媒体Ｐは、送出しロール１２６により送り出され、搬送ロール対１６４及びレジストロール１６８によって搬送路１２２を搬送されて画像記録部１３０へ送られる。
【００３０】
画像記録部１３０は、記録媒体収容部１２０、１２１から送られてきた記録媒体Ｐに、シアン、マゼンタ、イエロー及びブラックの各色トナーを用いて記録媒体Ｐにカラー画像を形成するようになっている。
【００３１】
画像記録部１３０には、４つの感光体ドラム１１２が並んで回転可能に配設されている。各感光体ドラム１１２は、図示しない駆動部により、矢印Ｋの方向に回転する。
【００３２】
各感光体ドラム１１２の左斜め下部には、帯電ローラ１１４が感光体ドラム１１２に接触するように配設されている。帯電ローラ１１４は、感光体ドラム１１２の表面を所定の電位に帯電する。
【００３３】
帯電後、各感光体ドラム１１２の下方に配置された各露光ヘッド１１６から出射された光によって露光が行われ、画像読取装置１０が変換した画像信号に応じた潜像が感光体ドラム１１２の表面に形成される。
【００３４】
各色の現像器１１８の現像ローラ１１９には、所定の極性に帯電した各色トナーが保持されている。各感光体ドラム１１２の表面に形成された潜像は、現像ローラ１１９に現像バイアスを印加することで現像され各色のトナー像となる。
【００３５】
４個の各感光体ドラム１１２にそれぞれ形成された各色のトナー像は、各感光体ドラム１１２の上方に配置された中間転写ベルト１１３上に第１転写ローラ１１５で転写され、中間転写ベルト１１３上に重畳されてフルカラーのトナー像となる。
【００３６】
記録媒体収容部１２０、１２１から送り出されると共に搬送ロール対１６４で搬送された記録媒体Ｐは、レジストローラ１６８により所定のタイミングで第２転写ローラ１３２と中間転写ローラ１３４とのニップ部に送られ、フルカラーのトナー像が記録媒体Ｐに転写される。なお、中間転写ローラ１３４側の記録媒体Ｐの面にトナー像は転写される。
【００３７】
フルカラーのトナー像が転写された記録媒体Ｐは、定着器１３６に送られる。定着器１３６は熱と圧力とで記録媒体Ｐにトナー像を定着する。トナー像が定着した記録媒体Ｐは、排出ローラ１４２によって排紙トレイ１４０へ排出される。
【００３８】
なお、中間転写ベルト１１３と記録媒体Ｐとにトナー像は全て転写されずに、一部は感光体ドラム１１２及び中間転写ベルト１１３に残留トナーとして残る。感光体ドラム１１２上の残留トナーはクリーニングロール１４４により除去され、中間転写ベルト１１３上の残留トナーはクリーニング装置１３８によって除去される。
【００３９】
（本実施形態に係る画像読取装置の構成）
次に、本実施形態に係る画像読取装置の構成を説明する。
【００４０】
本実施形態に係る画像読取装置１０は、異なるサイズの原稿を載置可能な原稿載置台の一例としての原稿トレイ１１と、原稿トレイ１１を上昇および下降させるトレイリフタ１２とを備えている。
【００４１】
原稿トレイ１１には、異なるサイズの原稿、すなわち原稿送り方向Ａに沿った距離である原稿長と、原稿送り方向Ａと直交する方向に沿った距離である原稿幅との少なくとも一方が異なる原稿が載置可能となっている。
【００４２】
また、画像読取装置１０は、原稿トレイ１１に載置された原稿束を一枚ずつ分離して排出トレイ４０へ搬送する搬送部３７と、搬送部３７に搬送される原稿の画像を読み取る読取部７０と、読取部７０によって読み込まれた画像信号を処理する処理装置８０とを備えている。
【００４３】
搬送部３７は、トレイリフタ１２により上昇された原稿トレイ１１から原稿を送り出す送出しロール１３、送出しロール１３により送り出された原稿を更に下流側まで搬送するフィードロール１４、送出しロール１３により送り出された原稿を１枚ずつに分離する分離ロール１５を備えている。
【００４４】
また、搬送部３７は、原稿トレイ１１から送り出された原稿が最初に搬送される第１搬送路３１を備えている。この第１搬送路３１には、一枚ずつに分離された原稿を下流側のロールまで搬送するテイクアウェイロール１６、原稿を更に下流側のロールまで搬送すると共にループ作成を行うプレレジロール１７、一旦、停止した後にタイミングを合わせて回転を再開し、読取部７０に対してレジストレーション調整を施しながら原稿を供給するレジロール１８、読み込み中の原稿搬送をアシストするプラテンロール１９、読み込まれた原稿を更に下流に搬送するアウトロール２０を備えている。
【００４５】
また、第１搬送路３１には、搬送される原稿のループ状態に応じて支点を中心として回動するバッフル４１が設けられている。
【００４６】
アウトロール２０の下流側には、第２搬送路３２および第３搬送路３３が設けられている。第２搬送路３２および第３搬送路３３との分岐には、この第２搬送路３２および第３搬送路３３を切り替える搬送路切替ゲート４２が設けられている。
【００４７】
第２搬送路３２の下流側には、読み取りが終了した原稿が排出される排出部の一例としての排出トレイ４０が設けられている。この排出トレイ４０へ原稿を排出させる第１排出ロール２１が、第２搬送路３２に設けられている。
【００４８】
また、第３搬送路３３の下流側には、第３搬送路３３を経由した原稿をスイッチバックさせるための第４搬送路３４が形成されている。
【００４９】
第４搬送路３４には、原稿のスイッチバックを行うインバータロール２２およびインバータピンチロール２３が設けられている。
【００５０】
第４搬送路３４によってスイッチバックされた原稿を再度、第１搬送路３１に導く第５搬送路３５が、第４搬送路３４と第１搬送路３１とを通じている。
【００５１】
第４搬送路３４によってスイッチバックされた原稿を排出トレイ４０に排出する第６搬送路３６が、第４搬送路３４と通じている。第６搬送路３６には、反転排出される原稿を第１排出ロール２１まで搬送する第２排出ロール２４、第５搬送路３５および第６搬送路３６の搬送経路を切り替える出口切替ゲート４３が設けられている。
【００５２】
送出しロール１３は、待機時にはリフトアップされて退避位置に保持され、原稿搬送時にニップ位置（原稿搬送位置）へ降下して原稿トレイ１１上の最上位の原稿を搬送する。
【００５３】
送出しロール１３およびフィードロール１４は、フィードクラッチ（図示せず）の連結によって原稿の搬送を行う。プレレジロール１７は、停止しているレジロール１８に原稿先端を突き当ててループを作成する。レジロール１８では、ループ作成時に、レジロール１８に噛み込んだ原稿先端をニップ位置まで戻している。このループが形成されると、バッフル４１は支点を中心として開き、原稿のループを妨げることのないように機能している。
【００５４】
また、テイクアウェイロール１６およびプレレジロール１７は、読み込み中におけるループを保持している。このループ形成によって、読み込みタイミングの調整が図られ、また、読み込み時における原稿搬送に伴うスキューを抑制して、位置合わせの調整機能を高めることができる。読み込みの開始タイミングに合わせて、停止されていたレジロール１８が回転を開始し、プラテンロール１９によって、第２プラテンガラス７２Ｂに押圧されて、下面方向から画像データが読み込まれる。
【００５５】
搬送路切替ゲート４２は、片面原稿の読み取り終了時、および両面原稿の両面同時読み取りの終了時に、アウトロール２０を経由した原稿を第２搬送路３２に導き、排出トレイ４０に排出するように切り替えられる。一方、この搬送路切替ゲート４２は、両面原稿の順次読み取り時には、原稿を反転させるために、第３搬送路３３に原稿を導くように切り替えられる。インバータピンチロール２３は、両面原稿の順次読み取り時に、フィードクラッチ（図示せず）がオフの状態でリトラクトされてニップが開放され、原稿をインバータパス（第４搬送路３４）へ導いている。その後、このインバータピンチロール２３はニップされ、インバータロール２２によってインバートする原稿をプレレジロール１７へ導き、また、反転排出する原稿を第６搬送路３６の第２排出ロール２４まで搬送している。
【００５６】
読取部７０は、画像読取装置１０の下部に設けられ、搬送部３７によって搬送された原稿の画像読み取りを行っている。この読取部７０は、筐体を形成する装置フレーム７１に、画像を読み込むべき原稿を静止させた状態で載置する第１プラテンガラス７２Ａ、搬送中の原稿を読み取るための光の開口部を形成する第２プラテンガラス７２Ｂが設けられている。
【００５７】
また、読取部７０は、第２プラテンガラス７２Ｂの下に静止し、および第１プラテンガラス７２Ａの全体に亘ってスキャンして画像を読み込むフルレートキャリッジ７３、フルレートキャリッジ７３から得られた光を像結合部へ提供するハーフレートキャリッジ７５を備えている。フルレートキャリッジ７３には、原稿に光を照射する照明ランプ７４、原稿から得られた反射光を受光する第１ミラー７６Ａが備えられている。更に、ハーフレートキャリッジ７５には、第１ミラー７６Ａから得られた光を結像部へ提供する第２ミラー７６Ｂおよび第３ミラー７６Ｃが備えられている。
【００５８】
更に、読取部７０は、第３ミラー７６Ｃから得られた光学像を光学的に縮小する結像用レンズ７７、結像用レンズ７７によって結像された光学像を光電変換するＣＣＤ（Ｃｈａｒｇｅ  Ｃｏｕｐｌｅｄ  Ｄｅｖｉｃｅ）イメージセンサ７８、ＣＣＤイメージセンサ７８を備える駆動基板７９を備え、ＣＣＤイメージセンサ７８によって得られた画像信号は駆動基板７９を介して処理装置８０に送られる。処理装置８０は、画像信号を露光ヘッド１１６へ送るようになっている。
【００５９】
ここで、まず、第１プラテンガラス７２Ａに載置された原稿の画像を読み取る場合には、フルレートキャリッジ７３とハーフレートキャリッジ７５とが、２：１の割合でスキャン方向（矢印方向）に移動する。このとき、フルレートキャリッジ７３の照明ランプ７４の光が原稿の被読み取り面に照射されると共に、その原稿からの反射光が第１ミラー７６Ａ、第２ミラー７６Ｂ、および第３ミラー７６Ｃの順に反射されて結像用レンズ７７に導かれる。結像用レンズ７７に導かれた光は、ＣＣＤイメージセンサ７８の受光面に結像される。ＣＣＤイメージセンサ７８は１次元のセンサであり、１ライン分を同時に処理している。このライン方向（スキャンの主走査方向）の１ラインの読み取りが終了すると、主走査方向とは直交する方向（副走査方向）にフルレートキャリッジ７３を移動させ、原稿の次のラインを読み取る。これを原稿サイズ全体に亘って実行することで、１ページの原稿読み取りを完了させる。
【００６０】
一方、第２プラテンガラス７２Ｂは、例えば長尺の板状構造をなす透明なガラスプレートで構成される。搬送部３７によって搬送される原稿がこの第２プラテンガラス７２Ｂの上を通過する。このとき、フルレートキャリッジ７３とハーフレートキャリッジ７５とは、図１に示す実線の位置に停止した状態にある。まず、搬送部３７のプラテンロール１９を経た原稿の１ライン目の反射光が、第１ミラー７６Ａ、第２ミラー７６Ｂ、および第３ミラー７６Ｃを経て結像用レンズ７７にて結像され、ＣＣＤイメージセンサ７８によって画像が読み込まれる。即ち、１次元のセンサであるＣＣＤイメージセンサ７８によって主走査方向の１ライン分を同時に処理した後、搬送部３７によって搬送される原稿の次の主走査方向の１ラインが読み込まれる。原稿の先端が第２プラテンガラス７２Ｂの読み取り位置に到達した後、原稿が第２プラテンガラス７２Ｂの読み取り位置を通過することによって、副走査方向に亘って１ページの読み取りが完了する。
【００６１】
本実施形態に係る画像読取装置１０では、原稿送り方向Ａに直交する方向（主走査方向）の中央位置（原稿における主走査方向の中央位置）を基準として原稿を搬送し、この搬送された原稿を読み取るセンターレジストレーションが採用されている。このセンターレジストレーションを実現するに際し、原稿をセンター振り分けし、原稿をガイドする原稿ガイドの一例としての奥側ガイド６１及び手前側ガイド６２が、原稿トレイ１１の原稿載置面に設けられている。
【００６２】
奥側ガイド６１および手前側ガイド６２は、原稿トレイ１１に形成されたスライド溝６５により、原稿送り方向Ａに直交する方向（奥行き方向、原稿の幅方向）に移動可能に構成されている。
【００６３】
また、奥側ガイド６１および手前側ガイド６２は、奥側ガイド６１および手前側ガイド６２を原稿の幅方向端部に当てて原稿の幅方向端部が揃えられることで、原稿を位置決めする。
【００６４】
さらに、奥側ガイド６１および手前側ガイド６２は、原稿トレイ１１の原稿載置面の裏側（原稿トレイの内側）に設けられるラック６３とそれぞれ連結され、奥側ガイド６１から延びるラック６３と手前側ガイド６２から延びるラック６３とは、ピニオン６４に連結されている。このラック６３とピニオン６４とによって、奥側ガイド６１および手前側ガイド６２は、一方のガイドのスライド動作に連動してスライドし、その両者のスライド量は、同等に制御される。奥側ガイド６１および手前側ガイド６２が奥行き方向のセンター（中心位置）から均等となる位置に配置されていれば（センター振り分けがなされていれば）、奥側ガイド６１および手前側ガイド６２によって形成される奥行き方向長さのセンター（中心位置）は、これらのガイドがスライドした後であっても維持される。
【００６５】
画像読取装置１０は、図３に示すように、原稿トレイ１１に載置された原稿束の最大原稿幅を検知する第１原稿幅検知手段の一例としての第１原稿幅検知センサ５０を備えている。なお、図３では、原稿トレイ１１を省略して図示している。
【００６６】
第１原稿幅検知センサ５０は、奥側ガイド６１のスライド移動に伴って、奥側ガイド６１と一体に移動する移動体５２を備えている。
【００６７】
移動体５２は、断面Ｌ字状に屈曲された板体で構成され、奥側ガイド６１のラック６３と一体に構成されている。移動体５２には、移動体の移動方向に沿って、開口５３が複数形成されている。
【００６８】
第１原稿幅検知センサ５０は、移動体５２に沿って配置された複数の光センサ５４を備えている。光センサ５４の発光部５４Ａと受光部５４Ｂとの間を、開口５３が形成された移動体５２を移動するようになっており、発光部５４Ａと受光部５４Ｂとの間に開口５３が位置すると、光センサ５４の発光部５４Ａから照射された光を受光部５４Ｂが受光し、発光部５４Ａと受光部５４Ｂとの間に開口５３が位置しなければ、光センサ５４の発光部５４Ａから照射された光を受光部５４Ｂが受光しない。
【００６９】
このように、奥側ガイド６１と伴って移動する移動体５２の開口５３の位置により、原稿トレイ１１に載置された原稿束の原稿幅を検知するようになっており、奥側ガイド６１の位置を基準に原稿トレイ１１に載置された原稿束の原稿幅が検知される。
【００７０】
ここで、奥側ガイド６１及び手前側ガイド６２は、異なる原稿幅の原稿が原稿トレイ１１に載置された場合には、異なる原稿幅の原稿のうち、最大幅の原稿の端部に当たって、原稿を位置決めすることになるので、奥側ガイド６１の位置により検知される原稿の原稿幅は、原稿トレイ１１に載置された原稿束の最大原稿幅となる。
【００７１】
なお、本実施形態では、光センサ５４の３つ設けられており、８つの原稿幅を検知可能となっている。
【００７２】
また、原稿トレイ１１に載置された原稿束の最大原稿幅を検知する第１原稿幅検知手段としては、ピニオン６４の回転量に基づき、奥側ガイド６１及び手前側ガイド６２の位置を認識して、奥側ガイド６１及び手前側ガイド６２に位置決めされた原稿の原稿幅を検知する原稿幅検知センサであってもよい。
【００７３】
また、奥側ガイド６１及び手前側ガイド６２に位置決めされた原稿の原稿幅を、反射型のセンサ等により直接検知することで、原稿トレイ１１に載置された原稿束の最大原稿幅を検知する構成であってもよい。
【００７４】
本実施形態では、図２に示すように、第１搬送路３１におけるフィードロール１４の下流側近傍に、搬送部３７により原稿トレイ１１から一枚ずつ分離された原稿の原稿幅を検知する第２原稿幅検知手段の一例としての第２原稿幅検知センサ６６が設けられている。
【００７５】
この第２原稿幅検知センサ６６は、例えば反射型センサが用いられ、載置されると予想される原稿幅（Ａ４縦、Ａ４横、Ａ５横、Ｂ４横、Ｂ５縦、等のＡ／Ｂ系列や、インチ系のサイズ等）の検知を考慮して、その配置間隔が決定されている。
【００７６】
例えば、１つのセンサがＯＮとなった場合はＢ５サイズと検知し、２つのセンサがＯＮとなった場合はＡ４サイズと検知し、３つのセンサがＯＮとなった場合はＢ４サイズと検知し、４つのセンサがＯＮとなった場合はＡ３サイズと検知する構成としてもよい。
【００７７】
なお、第２原稿幅検知センサ６６は、図３に示す例では、原稿束が原稿の奥側と送り方向先端側とが揃えられて載置されることを前提に手前側ガイド６２側に設けられているが、原稿束が手前側又は幅方向中央部に載置された場合においても検知できるように、第２原稿幅検知センサ６６を配置してもよい。
【００７８】
また、本実施形態では、図４に示すように、原稿トレイ１１には、原稿トレイ１１に載置された原稿束の最大原稿長を検知する第１原稿長検知手段の一例としての第１原稿長検知センサ５６が設けられている。
【００７９】
この第２原稿長検知センサ５６は、例えば反射型センサが用いられ、載置されると予想される原稿長（Ａ４縦、Ａ４横、Ａ５横、Ｂ４横、Ｂ５縦、等のＡ／Ｂ系列や、インチ系のサイズ等）の検知を考慮して、その配置間隔が決定されている。
【００８０】
例えば、１つのセンサがＯＮとなった場合はＢ５サイズと検知し、２つのセンサがＯＮとなった場合はＡ４サイズと検知し、３つのセンサがＯＮとなった場合はＢ４サイズと検知し、４つのセンサがＯＮとなった場合はＡ３サイズと検知する構成としてもよい。
【００８１】
また、搬送路３１には、搬送部３７により原稿トレイ１１から一枚ずつ分離された原稿の原稿長を検知する第２原稿長検知手段の一例としての第２原稿長検知センサ６８、６９が設けられている。
【００８２】
この第２原稿長検知センサ６８、６９は、例えば反射型センサが用いられ、載置されると予想される原稿長（Ａ４縦、Ａ４横、Ａ５横、Ｂ４横、Ｂ５縦、等のＡ／Ｂ系列や、インチ系のサイズ等）の検知を考慮して、その配置間隔が決定されている。
【００８３】
第２原稿長検知センサ６９が原稿の先端を検知し、そのときに第２原稿長検知センサ６８が原稿を検知するか否かによって、原稿の原稿長を検知するようになっている。
【００８４】
なお、第２原稿長検知センサ６９が原稿の先端を検知し、第２原稿長検知センサ６８が原稿の後端を検知し、原稿の先端を検知してから原稿の後端を検知するまでの時間、第２原稿長検知センサ６８と第２原稿長検知センサ６９との距離、搬送速度に基づき、原稿の長さを検知する構成としてもよい。
【００８５】
第１原稿幅検知センサ５０、第２原稿幅検知センサ６６、第１原稿長検知センサ５６及び第２原稿長検知センサ６８、６９には、制御部９０が接続されており、第１原稿幅検知センサ５０、第２原稿幅検知センサ６６、第１原稿長検知センサ５６及び第２原稿長検知センサ６８、６９の検知信号、すなわち原稿の原稿幅情報及び原稿長情報が制御部９０に送られるようになっている。
【００８６】
また、制御部９０は、搬送部３７を駆動制御するようになっており、各種ロールの動作やゲートの切り替え動作等が制御される。
【００８７】
また、図５に示すように、画像読取装置１０の筐体表面には、操作者が操作可能な操作部の一例としての操作パネル５８が設けられている。この操作パネル５８は、操作者へ報知する情報が表示される表示部の一例としての表示パネル５９を備えている。
【００８８】
ここで、本実施形態に係る画像読取装置１０は、異なるサイズの原稿の搬送を許容する混載原稿モードと、異なるサイズの原稿の搬送を許容しない通常モードを有している。通常モードでは、同じサイズの原稿のみの搬送を許容するようになっている。
【００８９】
本実施形態では、混載原稿モードにおいて、異なるサイズの原稿を同時に束ねて原稿トレイ１１上に載置し、その原稿束から異なるサイズの原稿を順次搬送し、その原稿の画像を読み取るようになっている。
【００９０】
混載原稿モードは、操作パネル５８を通じて操作者が選択することで設定される。混載原稿モードが選択されると、制御部９０が混載原稿モードの処理を行う。
【００９１】
混載原稿モードでは、第２原稿幅検知センサ６６及び第２原稿長検知センサ６８、６９により、搬送される原稿の一枚一枚のサイズを検知すると共に、原稿の画像を読み取る。
【００９２】
この原稿の原稿幅情報及び原稿長情報は、制御部９０を介して画像記録装置１１０に送られ、例えば、Ｂ５サイズの原稿の画像は、Ｂ５サイズの記録媒体Ｐにコピーし、Ｂ４サイズの原稿の画像は、Ｂ４サイズの記録媒体Ｐにコピーする。
【００９３】
なお、本実施の形態では、サイズの異なる原稿を奥側ガイド６１および引き込み方向先端側に揃えて原稿トレイ１１に原稿が載置されるように、原稿束を載置する際に原稿の奥側と送り方向先端側とに原稿を揃えて束ねるように、操作者に対して指示がなされる。
【００９４】
通常モードでは、すべての原稿のサイズが同一であることを前提に、第１原稿幅検知センサ５０及び第１原稿幅検知センサ５０により原稿のサイズを検知すると共に、原稿の画像を読み取る。
【００９５】
制御部９０は、混載原稿モードではない場合（本実施形態において通常モードである場合）に、第１原稿幅検知センサ５０が検知した最大原稿幅と第２原稿幅検知センサ６６が検知した原稿幅とが相違したときに、搬送部３７に原稿の搬送を再開可能に中断させるようになっている。
【００９６】
また、制御部９０は、混載原稿モードではない場合（本実施形態において通常モードである場合）に、第１原稿長検知センサ５６が検知した最大原稿長と第２原稿長検知センサ６８、６９が検知した原稿長とが相違したときに、搬送部３７に原稿の搬送を再開可能に中断させるようになっている。
【００９７】
制御部９０により、中断指令が搬送部３７に送られると、搬送部３７は、少なくとも、読取部７０の読取位置よりも手前にある待機位置に原稿を待機させる。
【００９８】
また、制御部９０は、搬送が中断された原稿の画像の読取部７０による読み取りが可能な読取可能状態であるか、搬送が中断された原稿の画像の読取部７０による読み取りが不可能である読取不可能状態であるか、を判定する。
【００９９】
読取部７０の読取位置よりも手前で原稿が停止していれば、原稿の画像の読み取りが可能であるので、読取可能状態としては、例えば、搬送が中断した原稿が、読取部７０の読取位置よりも手前である待機位置で停止しているか否かを検知するように構成し、搬送が中断した原稿が待機位置で停止している場合に読取可能状態と判定してもよい。
【０１００】
また、読取部７０の読取位置よりも下流側で原稿が停止していれば、原稿の画像の読み取りが不可能であるので、読取不可能状態としては、例えば、搬送が中断した原稿が、読取部７０の読取位置よりも手前である待機位置よりも下流で停止している場合に読取不可能状態と判定してもよい。
【０１０１】
また、読取不可能状態としては、画像記録装置１１０において、記録媒体Ｐを既に搬送し、その記録媒体Ｐに画像を形成することが困難となった場合等、画像記録装置１１０側の都合により、コピーができない場合は、原稿の画像を読み取る意味がなくなるので、制御部９０は、読取不可能状態と判定してもよい。
【０１０２】
なお、搬送が中断した原稿が、待機位置よりも下流で停止している場合であっても、第３搬送路３３及び第４搬送路３４を用いて、原稿を反転搬送して、読み取り位置よりも上流側に原稿を戻すことにより、原稿を読取可能状態にしてもよい。また、原稿を逆転搬送することで読取可能状態としても良い。
【０１０３】
なお、読取可能状態及び読取不可能状態は、任意に設定することが可能であり、種々の構成が可能である。
【０１０４】
制御部９０は、読取可能状態で原稿の搬送が中断した場合に、操作パネル５８の表示パネル５９に混載原稿モードへ変更可能である旨を表示させる。操作者は、操作パネル５８を操作することにより、混載原稿モードへ変更が可能となる。
【０１０５】
表示パネル５９は、操作者が混載原稿モードに変更した場合には、混載原稿モードの設定手順を自動的に順次表示する。
【０１０６】
表示パネル５９は、操作者が混載原稿モードに変更しなかった場合に、原稿ガイドで原稿の原稿幅に合わせるように表示する。
【０１０７】
表示パネル５９は、読取不可能状態で原稿の搬送が中断した場合に、読取部７０による画像の読み取りが再開不可能である原因及び確認ボタンを表示する。搬送部３７は、確認ボタンが押されると、搬送を中断した原稿を排出トレイ４０に排出する。
【０１０８】
（本実施形態の作用）
次に、上記の実施形態について作用を説明する。
【０１０９】
画像形成装置１００の操作者は、原稿束を原稿トレイ１１に載置する。このとき、操作者は、異なるサイズの原稿が奥側ガイド６１および引き込み方向先端側で揃うように原稿束をセットし、奥側ガイド６１及び手前側ガイド６２を原稿束にセットする。
【０１１０】
次に、第１原稿幅検知センサ５０が、奥側ガイド６１の位置により、原稿トレイ１１に載置された原稿束の最大原稿幅を検知する。第１原稿幅検知センサ５０が検知した検知信号、すなわち、原稿束の最大原稿幅情報は、制御部９０に送られる。混載原稿モードではなく、通常モードである場合は、全ての原稿がこの幅と一致することになる。
【０１１１】
また、第１原稿長検知センサ５６が、原稿トレイ１１に載置された原稿束の最大原稿長を検知する。第１原稿長検知センサ５６が検知した検知信号、すなわち、原稿束の最大原稿長情報は、制御部９０に送られる。混載原稿モードではなく、通常モードである場合は、全ての原稿がこの長さと一致することになる。
【０１１２】
次に、操作者は、混載原稿モードを選択し忘れて、読み取り開始ボタンを押したため、原稿の読み取りが開始される。
【０１１３】
次に、第２原稿幅検知センサ６６が、一枚ずつ分離搬送された原稿の原稿幅を検知する。第２原稿幅検知センサ６６が検知した検知信号、すなわち、原稿の原稿幅情報は、制御部９０に送られる。第２原稿長検知センサ６８、６９が、一枚ずつ分離搬送された原稿の原稿長を検知する。第２原稿長検知センサ６８、６９が検知した検知信号、すなわち、原稿の原稿長情報は、制御部９０に送られる。
【０１１４】
次に、制御部９０は、第１原稿幅検知センサ５０の検知信号と第２原稿幅検知センサ６６の検知信号が相違するか否か判定し、第１原稿長検知センサ５６の検知信号と第２原稿長検知センサ６８、６９の検知信号が相違するか否か判定する。第１原稿幅検知センサ５０の検知信号と第２原稿幅検知センサ６６の検知信号が相違せず、第１原稿長検知センサ５６の検知信号と第２原稿長検知センサ６８、６９の検知信号が相違しない場合、すなわち各検知信号どうしが一致する場合は、搬送部３７による原稿の搬送をそのまま続行し、搬送される原稿の画像を読取部７０で読み取らせる。
【０１１５】
第１原稿幅検知センサ５０の検知信号と第２原稿幅検知センサ６６の検知信号が相違する場合、第１原稿長検知センサ５６の検知信号と第２原稿長検知センサ６８、６９の検知信号が相違する場合は、原稿を待機位置に待機させて、搬送部３７による原稿の搬送を再開可能に中断する。
【０１１６】
なお、図２に示す例では、原稿トレイ１１に載置された原稿束Ｇ１の原稿最大幅と、一枚ずつ分離搬送された原稿Ｇ２の原稿幅が相違している。すなわち、原稿束Ｇ１と同じ幅の原稿が分離搬送された場合は、第２原稿幅検知センサ６６の3個のセンサがＯＮとなり、第１原稿幅検知センサ５０の検知信号と第２原稿幅検知センサ６６の検知信号がしないが、分離搬送された原稿の原稿幅が原稿ガイド幅より狭い為、１個のセンサしかＯＮせず、第１原稿幅検知センサ５０の検知信号と第２原稿幅検知センサ６６の検知信号が相違する。
【０１１７】
次に、制御部９０は、表示パネル５９に混載原稿モードか否かを選択するボタンを表示させる。
【０１１８】
次に、これに例では、サイズの異なる原稿が混ざっている混載原稿なので、操作者は、混載原稿ボタンを押す。
【０１１９】
次に、制御部９０は、表示パネル５９に混載原稿モードの設定手順を順次に表示しながら、混載原稿モードに移行する。操作者は、パラメーター設定等をしながら、混載モードへの流れを把握できるので、次回以降の設定手順を学習することができる。
【０１２０】
次に、混載原稿モードへの移行が終了したら、制御部９０は、搬送部３７に搬送を再開させ、原稿の読み取りが開始される。
【０１２１】
仮に、原稿トレイ１１に載置した原稿が、混載原稿でない場合は、通常モードのボタンを押して、通常モードが選択される。
【０１２２】
この場合、制御部９０は、搬送が中断した原稿を搬送部３７に搬送させ、排出トレイ４０へ排出させる。
【０１２３】
また、この場合は、図６に示すように、操作者が奥側ガイド６１及び手前側ガイド６２を原稿束に正しくセットされていないことにより、第１原稿幅検知センサ５０の検知信号と第２原稿幅検知センサ６６の検知信号が相違することになるので、奥側ガイド６１及び手前側ガイド６２を正しくセットするように案内するメッセージと確認ボタンを表示パネル５９に表示する。
【０１２４】
次に、操作者は、確認ボタンを押す。操作者は、奥側ガイド６１及び手前側ガイド６２をセットしなおして読み取りをやり直す。このとき、搬送が中断した原稿は排出トレイ４０へ排出させるので、原稿が搬送部3７で停止せず、ジャム（原稿詰まり）を解消する必要がない。
【０１２５】
以上は、原稿束の1枚目の読み取り開始前でサイズ不整合が検知された場合について説明したが、２枚目以降でも読み取り開始前であれば、原稿の搬送を再開し、その原稿の画像を読み取ることが可能となる。
【０１２６】
本発明は、上記の実施形態に限るものではなく、種々の変形、変更、改良が可能である。
【符号の説明】
【０１２７】
１０ 画像読取装置（原稿送り装置）
１１ 原稿トレイ（原稿載置台）
３７ 搬送部
４０ 排出トレイ（排出部）
５０ 第１原稿幅検知センサ（第１原稿幅検知手段）
５６ 第１原稿長検知センサ（第１原稿長検知センサ）
５８ 操作パネル（操作部）
５９ 表示パネル（表示部）
６１ 奥側ガイド（原稿ガイド）
６２ 手前側ガイド（原稿ガイド）
６６ 第２原稿幅検知センサ（第２原稿幅検知手段）
６８ 第２原稿長検知センサ（第２原稿長検知センサ）
６９ 第２原稿長検知センサ（第２原稿長検知センサ）
７０ 読取部
９０ 制御部
１００ 画像形成装置
１１０ 画像記録装置
【図１】
2010183581.tif 000003
【図２】
2010183581.tif 000004
【図３】
2010183581.tif 000005
【図４】
2010183581.tif 000006
【図５】
2010183581.tif 000007
【図６】
2010183581.tif 000008